(57)【要約】本発明は、内燃機関用の燃料噴射装置（１）であって、高圧側（５）と低圧側（７）との間に制御弁（６）が配置されていて、該制御弁（６）が制御室（２）と低圧側（７）との間の接続を開閉するようになっており、制御弁（６）と低圧側（７）との間に流出絞り（８）が配置されている形式のものに関する。このような形式の燃料噴射装置において本発明では、制御弁（６）が、制御室（２）と低圧側（７）との間の接続を遮断する第１の弁ポジションと、制御室（２）が第１の流出通路（１４）を介して低圧側（７）に接続されている第２の弁ポジションと、制御室（２）が流出絞り（１５）を有する第２の流出通路（１６）を介して低圧側（７）に接続されている第３の弁ポジションと有している。
2006507442.tif 000002
【特許請求の範囲】
【請求項１】
内燃機関用の燃料噴射装置（１）であって、高圧側（５）と低圧側（７）との間に制御弁（６）が配置されていて、該制御弁（６）が制御室（２）と低圧側（７）との間の接続を開閉するようになっており、制御弁（６）と低圧側（７）との間に流出絞り（８）が配置されている形式のものにおいて、制御弁（６）が、制御室（２）と低圧側（７）との間の接続を遮断する第１の弁ポジションと、制御室（２）が第１の流出通路（１４）を介して低圧側（７）に接続されている第２の弁ポジションと、制御室（２）が流出絞り（１５）を有する第２の流出通路（１６）を介して低圧側（７）に接続されている第３の弁ポジションと有していることを特徴とする燃料噴射装置。
【請求項２】
第２の流出通路（１６）の流出絞り（１５）が、低圧側の流出絞り（８）よりも高い絞り抵抗を有している、請求項１記載の燃料噴射装置。
【請求項３】
第２の弁ポジションにおいて制御室（２）が、第２の放圧通路（１６）をも介して低圧側（７）に接続されている、請求項１又は２記載の燃料噴射装置。
【請求項４】
制御弁（６）が、弁室（１０）内において２つの弁座（１１，１２）の間で軸方向移動可能な弁体（９）を備えたダブル座弁として形成されており、一方の弁座（１１）が第１の流出通路（１４）と接続され、他方の弁座（１２）が低圧側（７）と接続され、かつ弁室（１０）が第２の流出通路（１６）と接続されている、請求項１から３までのいずれか１項記載の燃料噴射装置。
【請求項５】
制御室（２）が、第２の流出通路（１６）の流出絞り（１５）よりも小さな絞り抵抗を有する供給絞り（４）を介して、高圧側（５）に接続されている、請求項１から４までのいずれか１項記載の燃料噴射装置。
【請求項６】
第１の流出通路（１４）が供給絞り（１８）を介して高圧側（５）に接続されている、請求項１から５までのいずれか１項記載の燃料噴射装置。
【請求項７】
制御弁（６）の弁体（９）が圧電式の調節駆動装置（１３）を用いて移動調節可能である、請求項１から６までのいずれか１項記載の燃料噴射装置。
【発明の詳細な説明】
【技術分野】
【０００１】
本発明は、請求項１の上位概念部に記載された形式の燃料噴射装置に関する。例えばドイツ連邦共和国特許公開第１００３９２１５号明細書に基づいて公知のこのような形式の燃料噴射装置では、燃料噴射弁のノズルニードルは、制御室における圧力に関連して開閉される。高圧側に持続的に接続されている制御室は、ダブル座弁として形成された２ポート２位置方向切換え弁を用いて、低圧側に接続されており、これによって放圧されることができる。この公知の燃料噴射装置では噴射パターンを形成することは不可能である。
【０００２】
発明の利点
請求項１の特徴部に記載のように構成された本発明による燃料噴射装置は、公知のものに比べて次のような利点を有している。すなわち本発明による燃料噴射装置では、制御室における圧力が、流出絞りの作動又は不作動によって異なった速さで低下させられ、これにより噴射パターンを形成することができる。
【０００３】
本発明の別の有利な構成は、請求項２以下及び明細書における記載並びに図面に開示されている。
【０００４】
図面
次に、ダブル座弁として形成された３ポート３位置方向切換え弁を備えた本発明による燃料噴射装置の２つの有利な実施形態を、図面を参照しながら詳説する。
【０００５】
図１は、制御室における圧力を制御するダブル座弁を備えた本発明による燃料噴射装置において、弁体が上側の弁ポジションを占めている状態を示す図であり、
図２は、弁体が真ん中の弁ポジションを占めている状態における、図１に示されたダブル座弁を示す図であり、
図３は、弁体が下側の弁ポジションを占めている状態における、図１に示されたダブル座弁を示す図であり、
図４は、図１に示された燃料噴射装置の変化実施例であって、付加的な供給絞りを備えている実施例を示す図である。
【０００６】
実施例の記載
図１に示された本発明による燃料噴射装置１は、通常、複数のシリンダを備えた内燃機関において使用され、シリンダにはそれぞれ燃料噴射弁（インジェクタ）が配属されている。このインジェクタは自体公知の形式で、内燃機関の燃焼室内に進入している噴射ノズル（図示せず）と、噴射ノズルを制御室２における圧力に関連して開閉するノズルニードル３（部分的に図示）とを有している。
【０００７】
制御室２は供給絞り４を介して持続的に、高圧供給管路（高圧側）５に接続されている。噴射動作を制御するために、ダブル座弁（Doppelsitzventil）の形をした３ポート３位置方向切換え制御弁６が設けられており、この制御弁６は制御室２と低圧流出管路（低圧側）７との接続部を開閉する。高圧供給管路５は、図示されていない高圧アキュムレータ（コモンレール）と接続され、かつ低圧流出管路７は漏れオイルと接続されていることができる。低圧流出管路７には流出絞り８が配置されている。
【０００８】
制御弁６は、弁玉として形成された弁体９を有しており、この弁体９は弁室１０内において、２つの同軸的なリング状の弁座１１，１２の間で、例えば圧電式の調節駆動装置１３を用いて軸方向移動可能である。図１で見て下側の弁座１１は、制御室２の第１の流出通路１４と弁室１０との間に設けられ、上側の弁座１２は弁室１０と低圧流出管路７との間に設けられている。弁室１０は、流出絞り１５を有する第２の流出通路１６を介して、持続的に制御室２に接続されており、高圧側の流出絞り１５は、低圧側の流出絞り８よりも高い絞り抵抗、つまり小さな絞り開口を有している。調節駆動装置１３を用いて弁体９は、上側、真ん中又は下側の弁ポジションに移動させられることができる。
【０００９】
図１に示された弁体９の上側の弁ポジションでは、上側の弁座１２の弁開口が弁体９によって閉鎖されており、下側の弁座１１の弁開口は開放されており、その結果低圧側への制御室２の接続は遮断されている。制御室２における高圧は、ノズルニードル３の閉鎖方向において作用するノズルニードル３の制御弁１７に作用し、その結果ノズルニードル３もしくは燃料噴射弁は閉鎖されている。
【００１０】
図２に示された真ん中の弁ポジションにおいて弁体９は、両方の弁座１１，１２の間に位置しており、その結果両方の弁座１１，１２の弁開口は共に開放されている。制御室２は両流出通路１４，１６を介して低圧側の流出管路７に雪像されており、その結果制御室２における圧力は低下され、ノズルニードル３もしくは燃料噴射弁は開放している。流出絞り１５が設けられていることによって、制御室２から弁室１０への圧力低下は主として第１の放圧通路１４を介して行われるので、圧力低下速度は、まず第１に低圧側の流出絞り８によって規定されている。
【００１１】
図３に示された下側の弁ポジションにおいて、弁体９は、下側の弁座１１の弁開口を閉鎖しており、これによって制御室２から弁室１０への圧力低下は単に第２の流出通路１６を介して行われる。圧力低下速度はその高い絞り抵抗に基づいて、まず第１に高圧側の流出絞り１５によって規定されている。
【００１２】
制御室２内における圧力は、弁体９の真ん中及び下側の弁ポジションにおいて、異なった速さで降下されるので、両流出絞り８，１５及び供給絞り４の適宜な組合せによって、所望の噴射経過パターンを、制御弁６を用いて調節することができる。
【００１３】
図４に示された変化実施例は、図１に示された燃料噴射装置と次の点で異なっている。すなわち図４の実施例では、第１の流出通路１４は別の供給絞り１８を介して直接的に、供給管路５に接続されている。弁体９の下側及び真ん中の弁ポジションにおいて、この供給絞り１８はバイパスとして働く。
【００１４】
弁体９の下側の弁ポジションにおいて供給絞り１８は、高圧側の流出絞り１５に対して直列的に作用し、これによって流出絞り１５は両供給絞り４，１８に対して極めて精密に合わせられることができる。上側の弁ポジションへの弁体９の移行時に、圧力は放圧通路１４においてゆっくりと低下させられるので、供給絞り１８は、第１の弁ポジションに向かって付加的な閉鎖力を生ぜしめ、その結果制御弁６はより迅速に閉鎖する。
【図面の簡単な説明】
【００１５】
【図１】制御室における圧力を制御するダブル座弁を備えた本発明による燃料噴射装置において、弁体が上側の弁ポジションを占めている状態を示す図である。
【図２】弁体が真ん中の弁ポジションを占めている状態における、図１に示されたダブル座弁を示す図である。
【図３】弁体が下側の弁ポジションを占めている状態における、図１に示されたダブル座弁を示す図である。
【図４】図１に示された燃料噴射装置の変化実施例であって、付加的な供給絞りを備えている実施例を示す図である。
【図１】
2006507442.tif 000003
【図２】
2006507442.tif 000004
【図３】
2006507442.tif 000005
【図４】
2006507442.tif 000006
【国際調査報告】
2006507442.tif 000007
2006507442.tif 000008
2006507442.tif 000009
2006507442.tif 000010
2006507442.tif 000011
2006507442.tif 000012